(57)【特許請求の範囲】
【請求項１】
ストローの先端のストロー吸い口部を収容することが可能なストロー吸い口部収容部、袋本体部、及び前記ストロー吸い口部収容部と袋本体部との境界部の近傍のヒートシール部の中間部分が、前記袋本体部側に後退して形成される窪みを有し、前記ストローが前記ヒートシール部に固着されると共に、その下端部が前記袋本体部の底部近傍に達し、前記ストロー吸い口部収容部と袋本体部とは互いの連通が前記ヒートシール部により遮断され、かつ前記ストローを通してのみ連通しており、前記ストローは前記ストロー吸い口部収容部内に位置する部分にキンク部分を有し、前記キンク部分を折り曲げて前記ストローを前記窪みに干渉させて折り曲げ姿勢を保つことを特徴とするストロー内蔵リシール容器。
【請求項２】
前記キンク部分が一個設けられていることを特徴とする請求項１記載のストロー内蔵リシール容器。
【請求項３】
前記キンク部分が複数個設けられていることを特徴とする請求項１記載のストロー内蔵リシール容器。
【発明の詳細な説明】
【技術分野】
【０００１】
この発明は袋容器（パウチ容器）にジュースなどの内容液を充填した場合に、その袋容器から内容液を吸飲するためのストローを内蔵した袋容器におけるリシール技術に関するものである。
【背景技術】
【０００２】
従来、ヒートシール性を有する樹脂製フィルムやこれらに金属の蒸着を施したフィルム、あるいは紙やアルミニウム箔等の金属箔などの積層体を用いた包袋に内溶液を吸飲するためのストローを設けた吸飲具付き袋容器が多種提案され、実際に上市されている。これらの多くはストローの端部の飲み口部がむき出しであり、輸送中や保管中あるいは店頭での販売中に埃等が付着したり、人の手が触れたりするのを完全に防止することが困難であった。そこでこの点を改良すべく工夫されたいくつかの提案が先になされている。しかしこれらの改良された技術をもってしても、飲料用袋容器として見た場合、それらは端部の飲み口部に内容液が付着したり、比較的高粘度で絞り出し適性を有する内容品に限定されるなどの問題点を有している。
【０００３】
【特許文献１】特開平８−３３７２５５号
【特許文献２】特開平１０−３０５８５０号
【特許文献３】特開平１１−１３０１５３号
【特許文献４】特開平１１−１５２１５２号
【特許文献５】特開平１１−２６３３５４号
【特許文献６】特開２０００−２８９７６３号  特許文献１ではストローの途中に蛇腹を設け、その蛇腹の部分でストローを折り曲げた状態で袋容器に内蔵しておき、袋容器を引き裂き開口したときに、その開口からストローを摘み出して内容液を吸飲するものである。ただしストローの上端は開口から突出せず、開口からかなり下に位置しているので、ストローの取り出しが難しい。
【０００４】
特許文献２では、注出具の注出口のリシールを図ったものであるが、この注出具は袋容器の上端に取り付けられている剛性の栓体構造のもので、ストローではないので、内容液の吸飲が難しい。
【０００５】
特許文献３では注出具は内容液に浸漬するストローではなく、袋容器の上端に取り付けられている剛性の栓体構造のものであるので、内容液の吸飲が難しい。
【０００６】
特許文献４では袋容器にストローを内蔵するが、ストローの上端は袋容器から突出していて、この突出部分にリシール可能なキャップが装着されている。したがって突出部分は未開封状態の袋容器には内包されていないので、突出部分が保護されない。
【０００７】
特許文献５では容器に注出具を取り付け、その注出具が容器から突出する先端部を開閉可能な密封室で覆うものである。しかし注出具の先端が容器から突出しないので、吸飲が難しい。またここでは注出具はストローではない。
【０００８】
特許文献６では袋容器にストローを内蔵するが、ストローの上端は初めから袋容器から突出していて、この突出部分にリシール可能なキャップが装着されている。したがってキャップは袋容器に内包されていないので、袋容器によって保護されることはない。
【発明の開示】
【発明が解決しようとする課題】
【０００９】
この発明は上記の如き事情に鑑みてなされたものであって、ストローを袋容器内に内蔵させた場合に、ストローを使用した後に、そのストローの吸い口を再使用が可能になるように液漏れを防いだり、埃等が付着することを防ぐリシールが可能であり、また、ストローが袋容器内の内容液の液面下に沈むことがなく保持することができ、かつストローの端部の吸い口が袋容器から常に突出していて摘み易く、かつ構造が簡単なストロー内蔵リシール容器を提供することを目的とするものである。
【課題を解決するための手段】
【００１０】
この目的に対応して、この発明のストロー内蔵リシール容器は、ストローの先端のストロー吸い口部を収容することが可能なストロー吸い口部収容部、袋本体部、及び前記ストロー吸い口部収容部と袋本体部との境界部の近傍のヒートシール部の中間部分が、前記袋本体部側に後退して形成される窪みを有し、前記ストローが前記ヒートシール部に固着されると共に、その下端部が前記袋本体部の底部近傍に達し、前記ストロー吸い口部収容部と袋本体部とは互いの連通が前記ヒートシール部により遮断され、かつ前記ストローを通してのみ連通しており、前記ストローは前記ストロー吸い口部収容部内に位置する部分にキンク部分を有し、前記キンク部分を折り曲げて前記ストローを前記窪みに干渉させて折り曲げ姿勢を保つことを特徴とする。
【発明の効果】
【００１１】
この発明のリシール容器では、ストローが袋容器内に内溶液と共に内蔵されているので、吸飲具を別途に用意する必要がなく、そのストローを用いて直ちに内溶液を吸飲することができる。また、袋容器から内溶液を一部分吸い出した後に、残液を一時的に保存しておく場合にはストローをリシールすることができるので、内容液を清潔に保ち、内容液の吹き出しや、漏れ出しを防ぐことができる。また、ストローのリシールは、単にストローの吸い口部の下方部分を一重または二重にキンク折り曲げするだけでよいので、簡単にリシールが可能で構造も簡単である。
【発明を実施するための最良の形態】
【００１２】
以下、この発明の詳細を一実施の形態を示す図面について説明する。
【００１３】
図１から図４において、１ａはストロー内蔵リシール袋容器である。
ストロー内蔵リシール容器１ａはストロー２を袋容器３内に封入して備えている。
袋容器３はヒートシール性を有する樹脂製フィルムやこれらに蒸着を施したフィルム、あるいは紙やアルミニウム箔等の金属箔などの積層体を用いた左右の胴片４、５と底片（図示せず）を周縁部のヒートシール部７でヒートシールして袋状に構成した容器である。袋容器３はストロー吸い口部収容部８と袋本体部１１とを隣接させて備えている。ストロー吸い口部収容部８はストロー２の先端の吸い口部１２を収容する部分であって、袋容器３の１つの隅角部１３に形成されている。ストロー吸い口部収容部８は周辺部をヒートシール部９によってヒートシールされて中央部に空所１０が形成され、この空所１０内にストロー２の吸い口部１２を収容する。袋本体部１１は周縁部をヒートシール部７でヒートシールして袋状に構成されていて、内容液を収容する部分であって、袋容器３に対する内容液（図示せず）の未充填の状態では袋容器３の上端部は充填口１５を用意するために未シールの状態になっている。ストロー２は先端の吸い口部１２がストロー吸い口部収容部８内にあってストロー２の下端が袋本体部１１の底部の近傍に達している状態で袋容器３内に内蔵されている。
【００１４】
袋容器３においてストロー吸い口部収容部８と袋本体部１１は隣り合って配置されているが両者は連通してはいない。ストロー吸い口部収容部８と袋本体部１１との境界部の近傍において、袋本体部１１の上端は図２に示すようにヒートシール部１６によって左胴片４、右胴片５及びストロー２の外面が一体的にヒートシールされ、このヒートシール部１６によって袋本体部１１の上端開口部は閉じられ、ストロー吸い口部収容部８と袋本体部１１との連通は断絶されている。但しストロー吸い口部収容部８と袋本体部１１との両者にわたってストロー２が配置されているので、ストロー２の中空を通してのみストロー吸い口部収容部８と袋本体部１１とは連通していることになる。ストロー２はヒートシール部１６によって袋本体部１１に固着している。
【００１５】
ストロー吸い口部収容部８の基端部はヒートシール部１６の直近の切り裂き部分１７で切り裂くことが可能であり、この切り裂きによってストロー吸い口部収容部８は開封する。この切り裂きはストロー吸い口部収容部８の全幅にわたってストロー吸い口部収容部８を横断して行われ、ストロー吸い口部収容部８は袋本体部１１から完全に切り離されるのでもよいし、または側部に連結部１８を残して切り離して開封するのであってもよい。
【００１６】
切り裂き部分１７には弱め線２１を設けてもよい。この弱め線２１は切り裂き部分１７における切り裂きを容易にするための弱部である。ストロー２の先端の吸い口部１２にはキンク部分２２ａが採用されている。キンク部分２２ａは一旦開口したストローの中空部の連通を遮断して内容液１４の流通を途絶させるための構造である。
【００１７】
ストロー２は途中に１個のキンク部分２２ａを有するキンクストローを使用したものであ。すなわち、図１に示すように、ストロー２の上端の吸い口部１２及びその下のキンク部分２２ａがストロー吸い口部収容部８の空所１０内に入っている状態でストロー内蔵リシール容器1ａが構成されている。キンク部分２２ａはストロー２が急角度で折れ曲がることによってストロー２の中空部の連通が遮断し、またその折れ曲がりが緩角度に変化したり、直管状に復元することによってストロー２の中空部が連通する部分である。
【００１８】
ヒートシール部１６の中間部３２は袋本体部１１側に後退しているので、袋本体部１１の上端に窪み３３が形成される。またストロー２はキンク部分２２ａの下方部分でヒートシール部１６によって袋本体部１１に固着している。このストロー内蔵リシール容器1ａから内溶液（図示せず）を飲もうとする場合には図４に示すように、袋容器３のストロー吸い口部収容部８を引き裂き部分１７から切り離すと、そこにストロー２の先端部がキンク部分３１で折れ曲がって臨んでいる。ストロー２の先端の吸い口部１２は袋本体部１１の窪み３３の縁に当たって押さえられているので、ストロー２のキンク部分２２ａの折れ曲がった姿勢は保持されてストロー２の連通は遮断しており、袋本体部１１内の内容液１４は流れ出ない。そこで図３に示すようにその吸い口部１２を摘んでキンク部分２２ａを伸ばしてストロー２を連通させ、内容液（図示せず）を吸飲することができる。
【００１９】
リシールする場合は図４に示すように、再びキンク部分２２ａを折り曲げて吸い口部１２を下向きにして、窪み３３に少し差し込んで姿勢を保つようにする。これにより吸い口部１２をリシールすることができる。
【００２０】
また別の実施形態として、ストロー２としては図５から図８に示す他の実施態様のストロー内蔵リシール容器１ｂのように、キンク部分を２つ有するストロー（Ｚキンクストロー）の方が、飲むときには２つのキンク部分２２ａ、２２ｂが伸長して吸い口部１２の突き出し量が大きくて飲む操作が容易になり、またリシールするときには２つのキンク部分２２ａ、２２ｂでシールし、その姿勢は窪み３３の縁に当接させて保持するので、リシールが一層確実である。このストロー内蔵リシール容器１ｂの構造はストロー２の構造を除いてはストロー内蔵リシール容器１ａの構造と実質的に同じである。
【００２１】
すなわち、図５に示すように、ストロー２の上端の吸い口部１２及びその下の２つのキンク部分２２ａ、２２ｂがストロー吸い口部収容部８の空所１０内に入っている状態でストロー内蔵リシール容器１ｂが構成されている。また、ストロー２はキンク部分２２ｂの下方部分でヒートシール部１６によって袋本体部１１に固着している。このストロー内蔵リシール容器１ｂから内溶液１４を飲もうとする場合には図８に示すように、袋容器３のストロー吸い口部収容部８を引き裂き部分１７から切り離すと、そこにストロー２の先端部がキンク部分２２ａ、２２ｂで折れ曲がって臨んでいる。ストロー２の先端の吸い口部１２は袋本体部１１の窪み３３の縁に当たって押さえられているので、ストロー２のキンク部分２２ａ、２２ｂの折れ曲がった姿勢は保持されてストロー２の連通は遮断しており、袋本体部１１内の内容液１４は流れ出ない。そこで図７に示すようにその吸い口部１２を摘んで両キンク部分２２ａ、２２ｂを伸ばしてストロー２を連通させ、内容液１４を吸飲することができる。
【００２２】
リシールする場合は図８に示すように、再び両キンク部分２２ａ、２２ｂを折り曲げ、窪み３３の内面に干渉させて姿勢を保つようにする。これにより吸い口部１２をリシールすることができる。
【００２３】
以上の説明から明らかな通り、この発明によれば、吸飲用ストローを袋容器に内蔵させた場合に、吸飲具を別途に用意する必要がなく、そのストローを用いて直ちに内溶液を吸飲することができる。また、そのストローのリシールは、単にストローの吸い口部の下方部分を一重または二重にキンク折り曲げするだけでよいので、構造が簡単であり、確実にリシールを実現して内容液を清潔に保ち、内容液の吹き出しや、漏れ出しを防ぐとともに、開封前にそのストローの吸飲口に埃等が付着することを防ぐことができるストロー内蔵リシール容器を得ることができる。
【図面の簡単な説明】
【００２４】
【図１】キンクストローを用いた場合の袋容器の未開封の状態を示す拡大図。
【図２】図１におけるＡ−Ａ部断面拡大説明図。
【図３】キンクストローを用いた場合の袋容器の開封状態を示す拡大図。
【図４】キンクストローを用いた場合のストローのシール及びリシールの状態を示す拡大図。
【図５】他のキンクストローを用いた場合の袋容器の未開封の状態を示す拡大図。
【図６】図５におけるＡ−Ａ部断面拡大説明図。
【図７】他のキンクストローを用いた場合の袋容器の開封状態を示す拡大図。
【図８】他のキンクストローを用いた場合のストローのシール及びリシールの状態を示す拡大図。
【符号の説明】
【００２５】
１ａ、１ｂ                          ストロー内蔵リシール容器
２                                  ストロー
３                                  袋容器
４                                  左胴片
５                                  右胴片
７                                  ヒートシール部
８                                  ストロー吸い口部収容部
９                                  ヒートシール部
１０                                空所
１１                                袋本体部
１２                                吸い口部
１３                                隅角部
１５                                充填口
１６                                ヒートシール部
１７                                切り裂き部分
１８                                連結部
１９                                下端
２１                                弱め線
２２ａ、２２ｂ                      キンク部分
２４                                底部
３２                                中間部
３３                                窪み
【図１】
0004840636.tif 000002
【図２】
0004840636.tif 000003
【図３】
0004840636.tif 000004
【図４】
0004840636.tif 000005
【図５】
0004840636.tif 000006
【図６】
0004840636.tif 000007
【図７】
0004840636.tif 000008
【図８】
0004840636.tif 000009